(57)【要約】【課題】本発明は、数字、符号、英文字、及び／或いは中国文字を含むデータやコマンドを該電子製品に入力し、所望の機能を執行することを目的とする。【解決手段】本発明によるキー入力システムは、電子製品に適用され、使用者に多数のキーでデータを該電子製品に入力させる。該キー入力システム１は実体キーセット２、キー信号処理モジュール３及びデイスプレー４を含む。その中に、実体キーセット２は１個以上、１０個以下のキーから構成され、キー信号処理モジュール３は、デイスプレー４に１個或いは１個以上の仮想キーボードを生じさせ、使用者に選出させて、データやコマンドの入力を行うことができる。【選択図】　　　図１
2004145848.tif 000002
【特許請求の範囲】
【請求項１】
電子製品に応用され、使用者が多数のキーによりデータを該電子製品に入力し、各該キーの違う部位に違う入力機能を具えるキー入力方法において、
（ア）入力したい数字、符号や文字のオプション機能を選出し、数字入力を選択した時に、ステップ（イ）に進み、符号入力を選択した時に、ステップ（ウ）に進み、文字入力を選択した時にステップ（エ）に進み、
（イ）数字入力を選択した時、該キーに数字入力と関連する機能を始動させ、使用者に該キーの違う部位を操作させることで、所望の数字を入力し、及び／或いは数字の演算を行い、ステップ（キ）に進み、
（ウ）符号入力を選択した時、該キーに符号入力と関連する機能を始動させ、使用者に該キーの違う部位を操作させることで、所望の符号を入力して、ステップ（キ）に進み、
（エ）文字入力を選択した時、中国文字或いは英文字のどちらを入力したいかを判断し、中国文字を入力したい時に、ステップ（オ）に進み、英文字を入力したい時に、ステップ（カ）に進み、
（オ）中国文字を入力したい時に、入力したい中国文字の入力法を選択し、選出された中国文字の入力法に基づいて、該キーに中国文字の入力に関連する機能を始動させ、使用者に該キーの違う部位を操作させることで所望の中国文字を入力して、ステップ（キ）に進み、
（カ）英文字入力を選択した時、該キーに英文字入力に関連する機能を始動させ、使用者に該キーの違う部位を操作させることで、所望の英文字を入力して、ステップ（キ）に進み、
（キ）キー入力の過程を終了するステップと、
を有することを特徴とする、キー入力方法。
【請求項２】
前記ステップ（イ）において、使用者が同一のキーの違う部位を押して数字入力及び／或いは数字の演算を実行することを特徴とする請求項１に記載のキー入力方法。
【請求項３】
前記ステップ（イ）において、使用者が順に１個以上のキーを押して数字入力及び／或いは数字の演算を実行することを特徴とする請求項１に記載のキー入力方法。
【請求項４】
前記数字入力に関する機能は、アラビア数字入力、数字の桁数変換、数字の加算、数字の減算、数字入力の確定及び数字の削除の少なくとも一つを含むことを特徴とする請求項１に記載のキー入力方法。
【請求項５】
前記キーの数は、１個以上、１０個以下であることを特徴とする請求項１乃至４のいずれかの請求項に記載のキー入力方法。
【請求項６】
前記符号入力に関する機能は、カーソルの移動制御、符号の選出、符号の削除の少なくとも一つを含むことを特徴とする請求項１に記載のキー入力方法。
【請求項７】
前記中国文字入力に関する機能は、少なくとも注音入力法及び倉頡入力法を含むことを特徴とする請求項１に記載のキー入力方法。
【請求項８】
前記ステップ（オ）において、選出された中国文字入力法が注音入力法である場合に、前記中国文字入力に関する機能は、カーソルの移動制御、注音符号の選出、注音符号の削除の少なくとも一つを含むことを特徴とする請求項７に記載のキー入力方法。
【請求項９】
前記ステップ（オ）において、選出された中国文字入力法が倉頡入力法である場合に、前記中国文字入力に関する機能は、カーソルの移動制御、倉頡部首の選出、倉頡部首の削除の少なくとも一つを含むことを特徴とする請求項７に記載のキー入力方法。
【請求項１０】
前記英文字入力に関する機能は、カーソルの移動制御、英文字の選出、英文字の削除、英文字の大小文字の形態変換の少なくとも一つを含むことを特徴とする請求項１に記載のキー入力方法。
【請求項１１】
前記電子製品は、電子ブック（Ｅ−Ｂｏｏｋ　Ｒｅａｄｅｒ）、携帯情報端末（Ｐｅｒｓｏｎａｌ　Ｄｉｇｉｔａｌ　Ａｓｓｉｓｔａｎｔ：　ＰＤＡ）、株情報端末及び携帯電話などのうち一つであることを特徴とする請求項１に記載のキー入力方法。
【請求項１２】
電子製品に応用され、使用者が多数のキーによりデータを該電子製品に入力するキー入力システムにおいて、
１個以上、１０個以下のキーから構成され、各該キーの違う部位に違う入力機能を具え、使用者に該キーの違う部位を操作させることで、数字、符号及び／或いは文字を含むデータを入力する実体キーセットと、
使用者が操作したキーにより発生する信号の変化を受信し、該信号の変化を読取り、該信号の変化に代表される内容を表示し、使用者に該内容を表示に従ってデータを入力させるキー信号処理モジュールと、
該キー信号処理モジュールにより読取ったキー信号変化に代表される内容を表示するデイスプレーと、
を有することを特徴とするキー入力システム。
【請求項１３】
該キー信号処理モジュールがデイスプレーに１個或いは１個以上の仮想キーボード画面を生じさせ、使用者に数字、符号或いは文字を入力させることを特徴とする請求項１２に記載のキー入力システム。
【請求項１４】
該キーが数字入力に関する機能を提供し、使用者に所望の数字を入力させ、及び／或いは数字の演算を行なわせ、該数字入力に関する機能はアラビア数字入力、数字の桁数変換、数字の加算、数字の減算、数字入力の確定及び数字の削除の少なくとも一つを含むことを特徴とする請求項１２に記載のキー入力システム。
【請求項１５】
該キーが符号入力に関する機能を提供し、使用者に所望の符号を入力させ、該符号入力に関する機能はカーソルの移動制御、符号の選出、符号の削除の少なくとも一つを含むことを特徴とする請求項１２に記載のキー入力システム。
【請求項１６】
該キーが中国文字入力に関する機能を提供し、使用者に操作したい中国文字入力法を選出させることを特徴とする請求項１２に記載のキー入力システム。
【請求項１７】
該中国文字入力法は少なくとも注音入力法及び倉頡入力法を含むことを特徴とする請求項１６に記載のキー入力システム。
【請求項１８】
選出された中国文字入力法が注音入力法である場合に、前記中国文字入力に関する機能は、カーソルの移動制御、注音符号の選出、注音符号の削除の少なくとも一つを含むことを特徴とする請求項１７に記載のキー入力システム。
【請求項１９】
選出された中国文字入力法が倉頡入力法である場合に、前記中国文字入力に関する機能は、カーソルの移動制御、倉頡部首の選出、倉頡部首の削除の少なくとも一つを含むことを特徴とする請求項１７に記載のキー入力システム。
【請求項２０】
該キーが英文字入力に関する機能を提供し、使用者に所望の英文字を入力させ、該英文字入力に関する機能は、カーソルの移動制御、英文字の選出、英文字の削除、英文字の大小文字の形態変換の少なくとも一つを含むことを特徴とする請求項１２に記載のキー入力システム。
【発明の詳細な説明】
【０００１】
【発明の属する技術分野】
本発明はキー入力システム及びその方法に関する。特に、実体キー及び／或いは仮想キーボードを利用し、使用者に電子製品を操作させるキー入力システム及びその方法に関するものである。
【０００２】
【従来の技術】
キーボード或いはキーは、電子製品において、極めて重要な入力装置であり、使用者はキーを通し、データ或いはコマンドを電子製品に入力して、電子製品に提供される、転送されるデータの正確性を管理する、所謂ビルト　イン機能を執行する。
【０００３】
一般的に、電子製品は使用者にただそのビルト　イン機能を執行させるために、電子製品のキー数が１２個より少なくてもよいが、使用者にデータを電子製品に入力させ、かつその入力されるデータが数字、符号、英文字及び／或いは中国文字を含むときに、電子製品は少なくとも１２個のキーを備えなければならない。図１８に示す従来の電話の実体キーセット１００には１２個のキーを含み、図１９に示す携帯電話の実体キーセット２００には１２個以上のキーを含む。それによって、電子製品は往々設けられるべきキー数（１２個或いは以上）に限られて、寸法をより小さくすることがし難くなり、製品の軽薄短小の発展趨勢に逆らっている。
【０００４】
そこで、どのように１２個以下の実体キーを用いて、使用者に電子製品を操作させることができるキー入力システム及び方法が求められ、また、電子製品の寸法及び製造コストを有効に削減することは、至急解決しなければならない課題である。
【０００５】
【発明が解決しようとする課題】
本発明は、このような従来の課題に鑑みてなされたものであり、本発明の主な目的は、キー入力システム及び方法を提供し、電子製品に適用されて、使用者に１個以上、１０個以下の実体キー、及び／或いは１個或いは１個以上の仮想キーボードで数字、符号、英文字及び／或いは中国文字のデータやコマンドを電子製品に入力させ、電子製品を操作し、所望の機能を執行させる。
【０００６】
【課題を解決するための手段】
上記及びその他の目的を達成するために、本発明によるキー入力システム及び方法は、電子製品に適用され、使用者に多数のキーでデータを該電子製品に入力させる。該キー入力システムは実体キーセット、キー信号処理モジュール及びデイスプレーを含む。その中に、実体キーセットは１個以上、１０個以下のキーから構成され、キー信号処理モジュールは、デイスプレーに１個或いは１個以上の仮想キーボードを生じさせ、使用者に選出させて、データやコマンドの入力を行うことができる。
【０００７】
キー入力の方法を行うときに、まず、使用者が需要に応じて、１個の実体キーセットのキーを押し、または順に１個以上のキーの組み合せを押し、電子製品のビルト　イン機能を執行させ、または仮想キーボードを始動させ、数字、符号、英文字や中国文字を含むデータやコマンドを入力する。次に、キー信号処理モジュールは、押されたキーによって生じる信号の変化を受け、その信号の変化に代表される意味を読取り、例えば、電子製品のビルト　イン機能を執行したり、仮想キーボードを始動したり、データやコマンドを入力すると同時に、キー信号処理モジュールがそのキー信号の変化に代表される意味や内容をデイスプレーに表示して、使用者にその指示に従って操作させる。
【０００８】
【発明の実施の形態】
図１は、本発明のキー入力システムの基本システム構成を示す図である。図１に示すように、該キー入力システム１は、電子製品（図示せず）に適用され、少なくとも実体キーセット２、キー信号処理モジュール３、及びデイスプレー４を含んでおり、その中に、キー信号処理モジュール３は、それぞれ実体キーセット２とデイスプレー４とに接続されている。
【０００９】
該実体キーセット２は、１個以上、１０個以下の実体キー（図示せず）から構成される。使用者は、実体キーセット２の単一のキーを押し、または順に実体キーセット２の１個以上のキーの組み合せを押し、電子製品のビルト　イン機能を執行したり、仮想キーボードを始動したり、数字、符号、英文字及び／或は中国文字を含むデータやコマンドを入力できる。
【００１０】
該キー信号処理モジュール３は、使用者が実体キーセット２の１個或いは複数のキーを押すことによって発生する信号の変化を受け、その信号の変化に代表される意味を読取り、例えば、電子製品の転送されるデータの正確性を管理する、所謂ビルト　イン機能を執行したり、もしくは１個或いはそれ以上の仮想キーボードを始動したり、データやコマンドを入力すると同時に、キー信号処理モジュール３が、そのキー信号変化に代表される意味や内容をデイスプレー４に表示し、使用者にそれに従って操作させる。
【００１１】
図２は、本発明のキー入力システム１を応用して、キー入力方法の手順を示す図である。図２に示すように、ステップ１０１において、使用者が実体キーセット２の某１個のキー或いは１個以上のキーを押して、実体キーセット２のキーを始動させ、データやコマンドの入力機能を執行する。該データやコマンドは数字、英文字、及び／或いは中国文字などを含む。そして、ステップ１０２に進む。
【００１２】
ステップ１０２において、使用者が数字、英文字或いは中国文字を入力しようとする項目を決定し、数字の入力を行いたい場合に、ステップ１０３に進み、英文字の入力を行いたい場合に、ステップ１０４に進み、中国文字の入力を行ないたい場合に、ステップ１０５に進む。
【００１３】
ステップ１０３において、使用者が数字の入力を行い、そして、ステップ１０６に進む。
ステップ１０４において、使用者が英文字の入力を行い、そして、ステップ１０６に進む。
ステップ１０５において、使用者が中国文字の入力を行い、そして、ステップ１０６に進む。
ステップ１０６において、使用者がデータやコマンドの入力を完了させるかどうかを決定する。もし、入力が完了した場合に、ステップ１０７に進み、入力がまだ完了していない場合に、ステップ１０２に戻る。
ステップ１０７において、データやコマンドの入力過程を終了する。
【００１４】
図３は、本発明を応用するキー入力システム１の一実施の形態の電子製品５の基本システムの構成を示す図である。該電子製品５として、電子ブック（Ｅ−Ｂｏｏｋ　Ｒｅａｄｅｒ）、携帯情報端末（Ｐｅｒｓｏｎａｌ　Ｄｉｇｉｔａｌ　Ａｓｓｉｓｔａｎｔ：　ＰＤＡ）、株情報端末或いは携帯電話などがある。該キー入力システム１は電子製品５の入力装置として、その中に、キー信号処理モジュール３は、メモリー３１１（例えばフラッシュメモリー、リード　オンリ　メモリー或いはその他のメモリー）を含むチップ３１などであってもよい。
【００１５】
図４は、図３のキー入力システム１の実体キーセット２の一実施の形態を示す図である。該実体キーセット２は、７個のキー２１、２２、２３、２４、２５、２６、２７から構成される。その中に、キー２１はカーソルの左向き及び数字３、４を入力する機能を提供し、キー２２はカーソルの上向き及び数字１、２を入力する機能を提供し、キー２３はカーソルの右向き及び数字７、８を入力する機能を提供し、キー２４はカーソルの下向き及び数字５、６を入力する機能を提供し、キー２５はページアップ機能及び数字９、０を入力する機能を提供し、キー２６はページダウン機能及び数字の桁数を変換する機能を提供し、キー２７はオプション機能、入力した数字や文字の確定、及び入力した数字や文字の削除の機能を提供する。
【００１６】
使用者は、キー２７で数字入力のオプション機能を選出した時に、キー２１、２２、２３、２４、２５の数字（０から９まで）入力が始動され、カーソルの移動方向を制御することによりページアップ機能が閉じられ、キー２６の数字の桁数変換機能が始動され、ページダウン機能が閉じられ、また、キー２７の数字入力を確定及び削除する機能が始動される。例えば、数字３を入力したい場合に、使用者は、単一のキー２１の下縁を押して、数字３を入力し、約５秒を待って自動的に数字３の入力を確定でき、またはキー２７の右縁を押して数字３の入力を確定できる。使用者がキー２１を押して、数字３を入力する場合に、キー信号処理モジュール３は、キー２１を押すことによって発生する信号の変化を受け、その信号変化に代表される意味（即ち数字３を入力する）を読取り、使用者に入力された数字３をデイスプレー４に表示する。
【００１７】
図５は、図３のキー入力システム１を利用して、キー入力方法を用いて数字を入力する手順を示す図である。図５に示すように、まず、ステップ７０１において、使用者は実体キーセット２のキー２７を押して、数字入力のオプション機能を選出し、キー２１、２２、２３、２４、２５、２６、２７の数字入力に関する機能を始動させる。そして、ステップ７０２に進む。
【００１８】
ステップ７０２において、数字４０５を入力することを例とし、使用者は順にキー２１の上縁、キー２５の右縁及びキー２４の左縁を押し、数字４、０、５を入力し、次に、約５秒を待って或いはキー２７の右縁を押して数字５の入力を確定し、数字４０５の入力動作を完了させる。即ち、多桁の数字を入力する時に、ただ最後の数字（例えば数字５）だけを入力した後に確認すればよい。そして、ステップ７０３に進む。
ステップ７０３において、数字４０５の入力を完了し、数字入力の過程を終了する。
【００１９】
図６は、図３のキー入力システム１を利用して、キー入力方法を用いて数字を入力する他の実施の形態の手順を示す図である。図６に示すように、まず、ステップ８０１において、使用者が実体キーセット２を利用して、数字２３１を入力する。そして、ステップ８０２に進む。
【００２０】
ステップ８０２において、使用者は入力した数字２３１を５３１に修正したい時に、置き換えたい数字２とデイスプレー４にカーソルが止まている数字１との間に２桁数の隔たりがあり、使用者が連続的にキー２６を２回押して、カーソルを数字２の下に移動させ、次に、キー２７の左縁を押して数字２を削除し、そしてキー２４の左縁を押して数字５を入力し、約５秒を待って或いはキー２７の右縁を押して数字５の入力を確定すれば、入力した数字の修正が完了する。そして、ステップ８０３に進む。
ステップ８０３において、数字２３１を数字５３１に修正したあと、数字の修正過程を終了する。
【００２１】
図７は、本発明を応用するキー入力システム１の他の実施の形態の電子製品６の基本システムの構成を示す図である。該電子製品６として、電子ブック、携帯情報端末、株情報端末或いは携帯電話などがある。該キー入力システム１は電子製品６の入力装置として、その中に、キー信号処理モジュール３は、中央処理装置３２或いはマイクロプロセッサ３３、信号処理プログラム３４１を備える記憶装置３４から構成され、中央処理装置３２或いはマイクロプロセッサ３３は、記憶装置３４の信号処理プログラム３４１を執行することが可能であり、キー信号処理モジュール３にキー入力信号の処理を行なわせる。記憶装置３４は、フラッシュメモリー、リード　オンリ　メモリー、ＵＢＳ（Ｕｎｉｖｅｒｓａｌ　Ｓｅｒｉａｌ　Ｂｕｓ）、インタフェースメモリー或いはその他のメモリーなどであってもよい。
【００２２】
図８は、図７のキー入力システム１の実体キーセット２の一実施の形態である。図に示すように、該実体キーセット２は、キー２０１、２０２、２０３、２０４、２０５、２０６、２０７及び２０８の８個のキーから構成される。キー２０１は、カーソルの左向き及び数字０を入力する機能を提供し、キー２０２は、カーソルの上向き及び数字１を入力する機能を提供し、キー２０３は、カーソルの右向き及び数字２を入力する機能を提供し、キー２０４は、カーソルの下向き及び数字４を入力する機能を提供し、キー２０５は、挿入（ｉｎｓｅｒｔ）機能及び数字８を入力する機能を提供し、キー２０６は、削除及び確定の機能を提供し、キー２０７は、数字の加算“＋”、数字の減算“−”及び英文字の大文字と小文字とのシフト機能を提供し、キー２０８は、電源の始動及び機能オプションの機能を提供する。
【００２３】
使用者は、キー２０８で数字入力のオプション機能を選出した場合に、キー２０１、２０２、２０３、２０４、２０５、２０７の数字入力、数字加算及び数字減算に関連する機能が始動され、カーソルの移動方向を制御することにより英文字の大文字と小文字とのシフト機能が閉じられる。例えば、使用者がキー２０１を押して数字０を入力し、次にキー２０６の右縁を押して数字０の入力を確定できる。
【００２４】
数字３、５、６、７、９について、数字３を例とし、数字３は、イコール数字１プラス数字２であるため、使用者が、まずキー２０２を押して数字１を得て、次にキー２０７の左縁“＋”を押して数字の加算機能を行い、そして、キー２０３を押して数字２を得て、数字１と数字２との加算を行うことで数字３が得られる。一方、数字７を例とし、数字７は、イコール数字８マイナス数字１であるため、使用者が、まずキー２０５を押して数字８を得て、次にキー２０７の右縁“−”を押して数字の減算機能を行い、そして、キー２０２を押して数字１を得て、数字８と数字１との減算を行うことで数字７が得られる。このようにして、数字０から数字９までのいかなる数字の入力が得られる。
【００２５】
使用者は、キー２０８で英文字の入力オプション機能を選出した時に、キー２０１、２０２、２０３、２０４、２０７のカーソルの方向移動制御及び英文字の大文字、小文字のシフト機能が始動し、デイスプレー４に図９に示す英文字の入力仮想キーボードが表示される。このようにして、使用者は、キー２０１、２０２、２０３、２０４を利用して、カーソルを入力しようとする英文字の所に移動させることができ、またキー２０７の左／右縁により、大／小文字の形態を決定し、さらにキー２０６の右縁を押せば選出された英文字の入力を確定できる。
【００２６】
使用者は、キー２０８で中国文字の入力オプション機能を選出した時に、キー２０１、２０２、２０３、２０４、２０７のカーソルの方向移動制御機能が始動し、図１０に示す注音の入力仮想キーボード或いは図１１に示す倉頡の入力仮想キーボードがデイスプレー４に表示される。このようにして、使用者は、キー２０１、２０２、２０３、２０４を利用して、カーソルを入力しようとする注音符号及び音調四声の所に移動させることができ、さらにキー２０６の右縁を押せば選出された注音符号及び音調四声の入力を確定できる。また、使用者は、キー２０１、２０２、２０３、２０４を利用して、カーソルを入力しようとする倉頡部首の所に移動させることができ、さらにキー２０６の右縁を押せば選出された倉頡部首の入力を確定できる。そして、入力された注音及び四声の組み合せ、或いは倉頡部首の組み合せに対応する中国文字のリストがデイスプレー４に表示され（図１２に示すように）、使用者は、キー２０１、２０２、２０３、２０４、２０６でカーソルを移動し、入力したい中国文字を選出する事が出来る。
【００２７】
図１３は、図７のキー入力システム１を利用して、キー入力方法を以って数字を入力する一実施の形態の手順を示す図である。図１３に示すように、まず、ステップ９０１において、使用者は実体キーセット２のキー２０８を利用し、数字入力のオプション機能を選出し、キー２０１、２０２、２０３、２０４、２０５、２０７の数字入力に関する機能を始動させる。そして、ステップ９０２に進む。
【００２８】
ステップ９０２において、数字３０４を入力することを例として、まず使用者が順にキー２０２、キー２０７の左縁及びキー２０３を押して、数字１と数字２とを加算させることで数字３を得て、次に、キー２０１を押して数字０を入力し、最後に、キー２０４を押して数字４を入力して、数字３０４の入力を完了する。そして、ステップ９０３に進む。
ステップ９０３において、数字３０４の入力を完了し、数字入力の過程を終了する。
【００２９】
図１４は、図７のキー入力システム１を利用して、キー入力方法を以って数字を入力する他の実施の形態の手順を示す図である。図１４に示すように、まず、ステップ１００１において、使用者が実体キーセット２を利用して数字４３１を入力する。そして、ステップ１００２に進む。
【００３０】
ステップ１００２において、入力した数字４３１を４２１に修正したい時に、使用者はキー２０８を利用して、キー２０１、２０２、２０３、２０４、２０５のカーソル移動機能及び挿入機能を始動させる。使用者はキー２０１を一回押して、数字１に止まっているカーソルを数字３に移動させ、次にキー２０６の左縁を押して数字３を削除し、カーソルが数字１の下に戻り、そして、キー２０５を押して数字の挿入機能を行い、さらにキー２０３を押して数字２を数字４と数字１との間に挿入させることで、入力した数字の修正が完了する。そして、ステップ１００３に進む。
ステップ１００３において、数字４３１を数字４２１に修正した後、数字の修正過程を終了する。
【００３１】
図１５は、図７のキー入力システム１を利用して、キー入力方法を用いて英文字を入力する一実施の形態の手順を示す図である。図１５に示すように、まず、ステップ１１０１において、使用者はキー２０８により、英文字の入力オプション機能を選出し、キー２０１、２０２、２０３、２０４、２０７のカーソルの方向移動制御及び英文字の大文字、小文字のシフト機能を始動させて、デイスプレー４に図９に示す英文字の入力仮想キーボードを表示させ、ビルト　インのカーソルの始動状態がアルファベットＡに位置される。そして、ステップ１１０２に進む。
【００３２】
ステップ１１０２において、英文字のＣａｔを入力することを例として、使用者は、まずキー２０３を二回押して、カーソルをアルファベットＣの下に移動させ、次にキー２０７の左縁を押して大文字の入力を確定し、大文字のアルファベットＣが得られ、また、キー２０１を二回押してアルファベットＣに位置するカーソルをアルファベットＡの所に戻し、キー２０６の右縁を押して小文字の入力を確定し、小文字のａが得られる。そして、キー２０４を二回、キー２０３を三回押して、アルファベットＡの下に位置するカーソルをアルファベットＴに移動させ、次に、キー２０６の右縁を押して小文字の入力を確定して、小文字のｔが得られる。最後に、キー２０６の右縁を押して、英文字Ｃａｔの入力することを確定する。そして、ステップ１１０３に進む。
ステップ１１０３において、英文字Ｃａｔの入力することを完了させ、英文字の入力過程を終了する。
【００３３】
図１６は、図７のキー入力システム１を利用して、キー入力方法を用いて中国文字を入力する一実施の形態の手順を示す図である。図１６に示すように、まず、ステップ１２０１において、使用者はキー２０８により、中国文字の入力オプション機能を選出し、キー２０１、２０２、２０３、２０４のカーソルの方向移動制御機能を始動させ、デイスプレー４に図１１に示す倉頡の入力仮想キーボードを表示させ、ビルト　インのカーソルの始動状態が部首［手］に位置される。そして、ステップ１２０２に進む。
【００３４】
ステップ１２０２において、中国文字の［我］を入力することを例として、［我］の倉頡部首の組み合せが［竹］［手］［戈］であるため、使用者は、まずキー２０４を一回、キー２０３を五回押して、カーソルを部首［手］の下から部首［竹］の所に移動させ、次にキー２０６の右縁を押して部首［竹］の入力を確定し、さらにキー２０２を一回、キー２０１を五回を押して、カーソルを部首［竹］から部首［手］の下に移動させ、またキー２０６の右縁を押して部首［手］の入力を確定する。そして、キー２０３を七回押してカーソルを部首［手］から右の部首［戈］の下まで移動させ、さらにキー２０６の右縁を押して部首［戈］の入力を確定すれば、部首の［竹］［手］［戈］の組み合せで入力が完了し、図１１の下方に示す［我］がデイスプレー４に表示される。そして、ステップ１２０３に進む。
ステップ１２０３において、中国文字の［我］の入力過程を終了する。
【００３５】
図１７は、図７のキー入力システム１を利用して、キー入力方法を用いて中国文字を入力する他の実施の形態の手順を示す図である。図１７に示すように、まず、ステップ１３０１において、使用者はキー２０８により、中国文字の入力オプション機能を選出し、キー２０１、２０２、２０３、２０４のカーソルの方向移動制御機能を始動させ、デイスプレー４に図１０に示す注音入力の仮想キーボードを表示させ、ビルト　インのカーソルの始動状態が注音符号［　　］に位置される。そして、ステップ１３０２に進む。
【００３６】
ステップ１３０２において、中国文字の［我］を入力することを例とする。［我］の注音符号の組み合せが［　　］［　　］及び［三声］であるため、使用者は、まずキー２０４を二回、キー２０３を六回押して、カーソルを注音符号［　］から注音符号［　　］の下に移動させ、次にキー２０６の右縁を押して注音符号［　　］の入力を確定し、さらにキー２０４を一回、キー２０１を五回を押して、カーソルを注音符号［　　］から注音符号［　　］の下に移動させ、またキー２０６の右縁を押して注音符号［　　］の入力を確定する。そして、キー２０３を七回、キー２０２を一回押して、注音符号［　　］に位置するカーソルを上の［三声］に移動させれば、［　　］［　　］及び［三声］の組み合せでの入力を完了し、図１２に示す仮想画面に［我］、［　　］、［　　］の中国文字群が表示され、ビルト　インのカーソルの始動状態が［我］に位置される。そして、使用者は、ただキー２０６の右縁を押せば、［我］字の入力が確定される。そして、ステップ１３０３に進む。
ステップ１３０３において、中国文字［我］の入力過程を終了する。
【００３７】
【発明の効果】
以上説明したように、本発明のキー入力システム及び方法は、次の利点を提供している。該キー入力システムが電子製品の入力装置として、使用者に１個以上、１０個以下の実体キー、及び／或いは１個または１個以上の仮想キーボードを利用させ、需要に応じて単一のキーを押し、或いは順に１個以上のキーの組み合せを押すことによって、電子製品のビルト　イン機能を執行したり、仮想キーボードを始動したり、数字、英文字、及び／或いは中国文字を含むデータやコマンドを電子製品に入力する。こうして、少ない数のキーと各キーの違う部位に具える違う入力機能とを利用して、電子製品を操作し、所望の機能を執行することができる。また電子製品の寸法及び製造コストを有効に削減することができる。前記の説明は本発明のより良い実施の形態に過ぎず、本発明の実施できる範囲を限定するものではない。よって、本発明に掲げた精神を逸脱しない限り、いかなる完成された同等の効果となる変更や修正は、いずれもこの発明の特許請求の範囲に属するものである。
【図面の簡単な説明】
【図１】図１は、本発明のキー入力システムの一実施の形態の基本構成を示すシステムブロック図である。
【図２】図２は、本発明のキー入力システムを利用してキー入力方法を行なうフロー　チャートを示す図である。
【図３】図３は、図１のキー入力システムを利用した一実施の形態の電子製品の基本システムの構成を示す図である。
【図４】図４は、図３のキー入力システムの実体キーセットの一実施の形態を示す図である。
【図５】図５は、図３のキー入力システムを利用してキー入力方法を行ない、数字を入力する一実施の形態のフローチャートである。
【図６】図６は図３のキー入力システムを利用してキー入力方法を行ない、数字を入力する他の実施の形態のフローチャートである。
【図７】図７は図１のキー入力システムを応用した他の実施の形態の電子製品の基本システムの構成を示すシステムブロック図である。
【図８】図８は図７のキー入力システムの実体キーセットの一実施の形態を示す図である。
【図９】図９はデイスプレーに表示される英文字入力仮想キーボードの画面内容を示す図である。
【図１０】図１０はデイスプレーに表示される注音入力仮想キーボードの画面内容を示す図である。
【図１１】図１１はデイスプレーに表示される倉頡入力仮想キーボードの画面内容を示す図である。
【図１２】図１２はデイスプレーに表示される中国文字の仮想画面内容を示す図である。
【図１３】図１３は図７のキー入力システムを利用してキー入力方法を行い、数字を入力する一実施の形態のフローチャートである。
【図１４】図１４は図７のキー入力システムを利用してキー入力方法を行い、数字を入力する他の一実施の形態のフロー　チャートである。
【図１５】図１５は図７のキー入力システムを利用してキー入力方法を行い、英文字を入力する一実施の形態のフローチャートである。
【図１６】図１６は図７のキー入力システムを利用してキー入力方法を行い、中国文字を入力する一実施の形態のフローチャートである。
【図１７】図１７は図７のキー入力システムを利用してキー入力方法を行い、中国文字を入力する他の実施の形態のフローチャートを示す図である。
【図１８】図１８は、従来の電話の実体キーセットを示す図である。
【図１９】図１９は、一般の携帯電話の実体キーセットを示す図である。
【符号の説明】
１　キー入力システム
２　実体キーセット
２０１乃至２０８　キー
２１乃至２７　キー
３　キー信号処理モジュール
３１　チップ
３１１　メモリー
３２　中央処理装置
３３　マイクロ　プロセッサ
３４　記憶装置
３４１　信号処理プログラム
４　デイスプレー
５、６　電子製品
【図１】
2004145848.tif 000003
【図２】
2004145848.tif 000004
【図３】
2004145848.tif 000005
【図４】
2004145848.tif 000006
【図５】
2004145848.tif 000007
【図６】
2004145848.tif 000008
【図７】
2004145848.tif 000009
【図８】
2004145848.tif 000010
【図９】
2004145848.tif 000011
【図１０】
2004145848.tif 000012
【図１１】
2004145848.tif 000013
【図１２】
2004145848.tif 000014
【図１３】
2004145848.tif 000015
【図１４】
2004145848.tif 000016
【図１５】
2004145848.tif 000017
【図１６】
2004145848.tif 000018
【図１７】
2004145848.tif 000019
【図１８】
2004145848.tif 000020
【図１９】
2004145848.tif 000021